(57)【特許請求の範囲】
【請求項１】
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記表示面に対して設定された基準線に対して、
前記隠しパターン領域の前記縞対の傾き角は、前記非隠しパターン領域の前記縞対の傾き角とは異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチｄ≦１／５ｍｍに対して、５〜２０％の高さの凸部及び凹部を交互に有する
ことを特徴とする光回折構造による隠しパターンを内包する表示体。
【請求項２】
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記表示面に対して設定された基準線に対して、
前記隠しパターン領域の前記縞対の傾き角は、前記非隠しパターン領域の前記縞対の傾き角とは異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチに対して、０．５〜２個／ｍｍの凸部及び凹部を交互に有する
ことを特徴とする光回折構造による隠しパターンを内包する表示体。
【請求項３】
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記隠しパターン領域の前記縞対の繰り返しピッチは、前記非隠しパターン領域の前記縞対の繰り返しピッチと異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチｄ≦１／５ｍｍに対して、５〜２０％の高さの凸部及び凹部を交互に有する
ことを特徴とする光回折構造による隠しパターンを内包する表示体。
【請求項４】
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記隠しパターン領域の前記縞対の繰り返しピッチは、前記非隠しパターン領域の前記縞対の繰り返しピッチと異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチに対して、０．５〜２個／ｍｍの凸部及び凹部を交互に有する
ことを特徴とする光回折構造による隠しパターンを内包する表示体。
【請求項５】
請求項１乃至請求項４のいずれか１項に記載の前記光回折構造による隠しパターンを内包する表示体のための判別具であって、
前記隠しパターン領域の前記縞対と同じ傾き角
及び
前記隠しパターン領域の前記縞対と同じ繰り返しピッチ
を持つ平行な直線透明部と直線不透明部との繰り返しパターンを有する
ことを特徴とする光回折構造による隠しパターンを内包する表示体のための判別具。
【請求項６】
請求項１乃至請求項４のいずれか１項に記載の前記光回折構造による隠しパターンを内包する表示体のための判別具であって、
前記隠しパターン領域の前記縞対と同じ傾き角
及び
前記隠しパターン領域の前記縞対と同じ繰り返しピッチ
を持つ平行な波線透明部と波線不透明部との繰り返しパターンを有する
ことを特徴とする光回折構造による隠しパターンを内包する表示体のための判別具。
【請求項７】
前記透明部の幅が前記不透明部の幅より小さい
ことを特徴とする請求項５又は請求項６に記載の光回折構造による隠しパターンを内包する表示体のための判別具。
【請求項８】
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記表示面に対して設定された基準線に対して、
前記隠しパターン領域の前記縞対の傾き角は、前記非隠しパターン領域の前記縞対の傾き角とは異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチｄ≦１／５ｍｍに対して、５〜２０％の高さの凸部及び凹部を交互に有する
光回折構造による隠しパターンを内包する表示体と、
前記隠しパターン領域の前記縞対と同じ傾き角
及び
前記隠しパターン領域の前記縞対と同じ繰り返しピッチ
を持つ平行な波線透明部と波線不透明部との繰り返しパターンを有する判別具と、
を備える
ことを特徴とする光回折構造による隠しパターンを内包する表示体の判別システム。
【請求項９】
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記表示面に対して設定された基準線に対して、
前記隠しパターン領域の前記縞対の傾き角は、前記非隠しパターン領域の前記縞対の傾き角とは異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチに対して、０．５〜２個／ｍｍの凸部及び凹部を交互に有する
光回折構造による隠しパターンを内包する表示体と、
前記隠しパターン領域の前記縞対と同じ傾き角
及び
前記隠しパターン領域の前記縞対と同じ繰り返しピッチ
を持つ平行な波線透明部と波線不透明部との繰り返しパターンを有する判別具と、
を備える
ことを特徴とする光回折構造による隠しパターンを内包する表示体の判別システム。
【請求項１０】
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記隠しパターン領域の前記縞対の繰り返しピッチは、前記非隠しパターン領域の前記縞対の繰り返しピッチと異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチｄ≦１／５ｍｍに対して、５〜２０％の高さの凸部及び凹部を交互に有する
光回折構造による隠しパターンを内包する表示体と、
前記隠しパターン領域の前記縞対と同じ傾き角
及び
前記隠しパターン領域の前記縞対と同じ繰り返しピッチ
を持つ平行な波線透明部と波線不透明部との繰り返しパターンを有する判別具と、
を備える
ことを特徴とする光回折構造による隠しパターンを内包する表示体の判別システム。
【請求項１１】
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記隠しパターン領域の前記縞対の繰り返しピッチは、前記非隠しパターン領域の前記縞対の繰り返しピッチと異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチに対して、０．５〜２個／ｍｍの凸部及び凹部を交互に有する
光回折構造による隠しパターンを内包する表示体と、
前記隠しパターン領域の前記縞対と同じ傾き角
及び
前記隠しパターン領域の前記縞対と同じ繰り返しピッチ
を持つ平行な波線透明部と波線不透明部との繰り返しパターンを有する判別具と、
を備える
ことを特徴とする光回折構造による隠しパターンを内包する表示体の判別システム。
【発明の詳細な説明】
【技術分野】
【０００１】
本発明は、光回折構造による隠しパターンを内包する表示体及びそのための判別具、並びに表示体判別システムに関し、特に、通常の視認状態では判別が困難な光回折構造による隠しパターンを内包する表示体、及びそのための判別具、並びに表示体判別システムに関するものである。
【背景技術】
【０００２】
近年、カラーコピー機による高額紙幣や商品券の偽造事件が頻発している。そのために、高額紙幣や商品券は、デザインの一部にカラーコピー機のセンサーでは読み取ることができない小さな網点や細線を、同じ反射濃度でデザインされた絵柄の中に組み込んでいる。その結果、これらの高額紙幣や商品券をカラーコピー機によって複写しようとすると、コピー機のスキャナーが小さな網点や細線を読み落とし、その部分が白く抜けることでコピー品であると判別している。
【０００３】
また、印刷物のデザインの一部に光り輝く金属部分を設けることによりコピー品を判別する方法も実施されている。
【０００４】
このような金属部分は、入射光を１００％反射するために、コピー機は、金属の部分を黒にコピーする。実施例として、例えば、紙の表層に金糸を縫い付け、コピー牽制を行っている。
【０００５】
その他、透明な樹脂で複製した光回折構造体の凹凸面に金属蒸着処理をして、印刷エリアの一部に熱転写し、複写機によるコピーを牽制している。この光回折構造体は、金属表面の反射効果でコピーによる不正を牽制しようとする一方で、熱転写された印刷物あるいは製品そのものの偽造を防止する手段として利用されている。光回折構造体は、高度な製造技術を必要とするために、金券類等の偽造防止手段としてしばしば使用される。
【０００６】
しかし、製造技術の向上によって、一見して本物に近い光回折構造体を製造することができるようになってきた。
【０００７】
このような偽造品をチェックするために、光回折構造体の中に判別困難な隠しパターンを組み込んで真偽判別の手段として使用する技術が提案されているが、見る角度によって隠しパターンが微かに判別されてしまうという問題があり、また、隠しパターンを形成した部分に他の絵柄が形成されていないために、隠しパターンがあり得ると推測される結果になり、偽造防止効果を低減させる問題があった。
【０００８】
このような背景の中、目視状態では直線回折格子の領域毎の構成の違いによって通常の表示パターンが観察でき、隠しパターンは判別困難であるが、判別具を重ね合わせることで、今度は通常の表示パターンではなく隠しパターンが判別可能となる光回折構造による隠しパターンを内包する表示体が開示されている（特許文献１及び２参照）。
【０００９】
特許文献１の発明は、
・光回折構造中に複数のパターンを持たせ、
・各パターンを相互に隣接する平行な縞で形成し、
・隣接する第１の縞と第２の縞の回折格子ピッチ若しくは傾き角を異なるものとし、
・各パターンを構成する各縞対の傾き角を異なるものとすることで、光回折構造（回折格子）に隠しパターンを共存させ、
・各縞対のピッチと同ピッチの透明部と不透明部からなる判別器具で判別することにより隠しパターンを判別するものである。
【００１０】
また、特許文献２の発明は、
・表示体の光回折構造中に複数のパターンを持たせ、
・各パターンを相互に隣接する平行な縞で形成し、
・隣接する第１の縞と第２の縞の回折格子ピッチ若しくは傾き角を異なるものとし、
・各パターンを構成する各縞対の傾き角を同じにすると共にそのピッチを異なるものとすることで、光回折構造（回折格子）に隠しパターンを共存させ、
・各縞対のピッチと同ピッチで同じ傾き角の透明部と不透明部からなる判別具で判別することにより隠しパターンを判別するものである。
【先行技術文献】
【特許文献】
【００１１】
【特許文献１】特開２００４−２１２９２７号公報
【特許文献２】特開２００５−２６６０４１号公報
【発明の概要】
【発明が解決しようとする課題】
【００１２】
しかしながら、従来の技術では、隠しパターンを判別するために表示体と判別具を重ね合わせる際に、表示体の縞と判別具の透明部及び不透明部が直線であったため、モアレを最大限に生じさせるために表示体の縞の直線と判別具の透明部及び不透明部の直線とをずれの無いように重ね合わせることは困難であった。そのため、モアレ模様のコントラストが低くなり、モアレから生じる文字の視認性が低減する場合があった。
【００１３】
本発明は従来技術のこのような現状に鑑みてなされたものであり、その目的は、目視による判別が極めて困難で偽造防止効果が大きい光回折構造による隠しパターンのモアレ模様を明確に生じさせる表示体及びそのための判別具、並びに表示体判別システムを提供することである。
【課題を解決するための手段】
【００１４】
上記目的を達成する本発明の光回折構造による隠しパターンを内包する表示体は、
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記表示面に対して設定された基準線に対して、
前記隠しパターン領域の前記縞対の傾き角は、前記非隠しパターン領域の前記縞対の傾き角とは異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチｄ≦１／５ｍｍに対して、５〜２０％の高さの凸部及び凹部を交互に有する
ことを特徴とする。
【００１５】
また、本発明の光回折構造による隠しパターンを内包する表示体は、
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記表示面に対して設定された基準線に対して、
前記隠しパターン領域の前記縞対の傾き角は、前記非隠しパターン領域の前記縞対の傾き角とは異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチに対して、０．５〜２個／ｍｍの凸部及び凹部を交互に有する
ことを特徴とする。
【００１６】
また、本発明の光回折構造による隠しパターンを内包する表示体は、
光回折構造を有する表示面を備え、
前記表示面は、回折特性が異なり、表示パターンに応じた任意の外形及び内形を持つ複数のパターン領域が並列配置されてなり、
前記複数のパターン領域は、隠しパターン領域及び非隠しパターン領域を有し、
前記隠しパターン領域は、所定の繰り返しピッチで埋めつくされた前記隠しパターン領域の縞対を含み、
前記隠しパターン領域の縞対は、相互に隣接していて平行で、回折特性の異なる前記隠しパターン領域の第１波線縞及び前記隠しパターン領域の第２波線縞を持ち、
前記隠しパターン領域の前記第１波線縞は、波形の縞内が前記隠しパターン領域の第１直線回折格子によって構成されて、
前記隠しパターン領域の前記第２波線縞は、波形の縞内が前記隠しパターン領域の第２直線回折格子によって構成されて、
前記非隠しパターン領域は、所定の繰り返しピッチで埋めつくされた前記非隠しパターン領域の縞対を含み、
前記非隠しパターン領域の縞対は、相互に隣接していて平行で、回折特性の異なる前記非隠しパターン領域の第１波線縞及び前記非隠しパターン領域の第２波線縞を持ち、
前記非隠しパターン領域の前記第１波線縞は、波形の縞内が前記非隠しパターン領域の第１直線回折格子によって構成されて、
前記非隠しパターン領域の前記第２波線縞は、波形の縞内が前記非隠しパターン領域の第２直線回折格子によって構成されて、
前記表示面に対して設定された基準線に対して、
前記隠しパターン領域の前記第１直線回折格子の傾き角は、前記非隠しパターン領域の前記第１直線回折格子の傾き角に等しく、
前記隠しパターン領域の前記第２直線回折格子の傾き角は、前記非隠しパターン領域の前記第２直線回折格子の傾き角に等しく、
かつ、
前記隠しパターン領域の前記縞対の繰り返しピッチは、前記非隠しパターン領域の前記縞対の繰り返しピッチと異なり、
前記隠しパターン領域の前記第１波線縞及び前記隠しパターン領域の前記第２波線縞、並びに、前記非隠しパターン領域の前記第１波線縞及び前記非隠しパターン領域の前記第２波線縞は、それぞれの繰り返しピッチｄ≦１／５ｍｍに対して、５〜２０％の高さの凸部及び凹部を交互に有する
ことを特徴とする光回折構造による隠しパターンを内包する表示体。
【００１７】
また、前記表示面に対して設定された基準線に対して、前記隠しパターン領域の前記縞対の傾き角は、前記非隠しパターン領域の前記縞対の傾き角とは異なることが好ましい。
【００１８】
また、前記隠しパターン領域の前記縞対の繰り返しピッチは、前記非隠しパターン領域の前記縞対の繰り返しピッチと異なることが好ましい。
【００１９】
さらに、前記光回折構造による隠しパターンを内包する表示体のための判別具は、前記隠しパターン領域の前記縞対と同じ傾き角及び前記隠しパターン領域の前記縞対と同じ繰り返しピッチを持つ平行な直線透明部と直線不透明部との繰り返しパターンを有することが好ましい。
【００２０】
さらに、前記光回折構造による隠しパターンを内包する表示体のための判別具は、前記隠しパターン領域の前記縞対と同じ傾き角及び前記隠しパターン領域の前記縞対と同じ繰り返しピッチを持つ平行な波線透明部と波線不透明部との繰り返しパターンを有することが好ましい。
【００２１】
また、前記透明部の幅が前記不透明部の幅より小さいことが好ましい。
【００２２】
さらに、光回折構造による隠しパターンを内包する表示体の判別システムは、光回折構造を有する表示面を備え、前記表示面は、回折特性が異なり、表示パターンに応じた任意の外形及び内形を持つ複数のパターン領域が並列配置されてなり、前記複数のパターン領域は、隠しパターン領域及び非隠しパターン領域を有し、前記隠しパターン領域は、所定の繰り返しピッチで埋めつくされた前記隠しパターン領域の縞対を含み、前記隠しパターン領域の縞対は、相互に隣接していて平行で、回折特性の異なる前記隠しパターン領域の第１波線縞及び前記隠しパターン領域の第２波線縞を持ち、前記隠しパターン領域の前記第１波線縞は、波形の縞内が前記隠しパターン領域の第１直線回折格子によって構成されて、前記隠しパターン領域の前記第２波線縞は、波形の縞内が前記隠しパターン領域の第２直線回折格子によって構成されて、前記非隠しパターン領域は、所定の繰り返しピッチで埋めつくされた前記非隠しパターン領域の縞対を含み、前記非隠しパターン領域の前記第１波線縞は、波形の縞内が前記非隠しパターン領域の第１直線回折格子によって構成されて、前記非隠しパターン領域の前記第２波線縞は、波形の縞内が前記非隠しパターン領域の第２直線回折格子によって構成されて、前記表示面に対して設定された基準線に対して、前記隠しパターン領域の前記第１直線回折格子の傾き角は、前記非隠しパターン領域の前記第１直線回折格子の傾き角に等しく、前記非隠しパターン領域の前記第２直線回折格子の傾き角は、前記非隠しパターン領域の前記第２直線回折格子の傾き角に等しく、かつ、前記隠しパターン領域の前記縞対の特性は、前記非隠しパターン領域の前記縞対の特性とは異なる光回折構造による隠しパターンを内包する表示体と、前記隠しパターン領域の前記縞対と同じ傾き角及び前記隠しパターン領域の前記縞対と同じ繰り返しピッチ
を持つ平行な波線透明部と波線不透明部との繰り返しパターンを有する判別具と、を備えることが好ましい。
【発明の効果】
【００２３】
本発明においては、光回折構造を含む表示体の表示面を、相互に隣接していて平行で、回折特性の異なる第１の縞と第２の縞の縞対と、それら縞を構成する直線回折格子との二重構造で構成し、隠しパターンを構成する領域とそれ以外の領域では直線回折格子の構成は同じで、縞対の構成を異なるものとすることにより、目視状態では直線回折格子の領域毎の構成の違いによって通常の表示パターンが観察でき、隠しパターンは判別困難であるが、上記の縞対とモアレ現象を生じる判別具を重ね合わせることで、今度は通常の表示パターンではなく隠しパターンが判別可能となる。そして、第１の縞及び第２の縞、若しくは、判別具の透明縞及び不透明縞の少なくとも１つを波形の縞とする。そのため、目視による判別が極めて困難な隠しパターンを含み、偽造防止効果が大きく、デザイン性の高い表示体を得ることができると共に、表示体の隠しパターンに判別具を重ね合わせると、簡単にコントラストの高い明確なモアレ模様を生じさせることが可能となり、表示体の真偽を容易に確認することが可能となる。
【図面の簡単な説明】
【００２４】
【図１】本実施形態による隠しパターンを有する光回折構造を転写した印刷物の一例について説明するための図である。
【図２】本実施形態において部分表示面中の均一な特性及び構成を有する表示単位領域の基本構成を説明するための図である。
【図３】本実施形態の縞対を示す拡大図である。
【図４】第１実施形態の光回折構造による隠しパターンを含む部分表示面の拡大図である。
【図５】図４の破線で囲まれたＡ部分の拡大図である。
【図６】図４の部分表示面の隠しパターンを判別するための判別具の一例の平面図である。
【図７】判別具を図４の部分表示面に重ね合わせた状態を示す図である
【図８】図４の部分表示面から判別される隠しパターンを示す図である。
【図９】第２実施形態の光回折構造による隠しパターンを含む部分表示面２の拡大図である。
【図１０】図９の破線で囲まれたＢ部分の拡大図である。
【図１１】図９の部分表示面の隠しパターンを判別するための判別具の一例の平面図である。
【図１２】判別具を図９の部分表示面に重ね合わせた状態を示す図である。
【図１３】図９の部分表示面から判別される隠しパターンを示す図である。
【図１４】第３実施形態の光回折構造による隠しパターンを含む部分表示面２の拡大図である。
【図１５】図１４の破線で囲まれたＣ部分の拡大図である。
【図１６】部分表示面を目視によって見た図である。
【図１７】第４実施携帯の光回折構造による隠しパターンを含む部分表示面２の拡大図である。
【図１８】部分表示面から隠し文字"Ｈ"を判別した状態を示す図である。
【図１９】部分表示面から隠し文字"Ｔ"を判別した状態を示す図である。
【図２０】図２１の部分表示面の隠しパターンを判別するための判別具の一例の平面図である。
【図２１】部分表示面から隠し文字"Ｈ"及び"Ｔ"を判別した状態を示す図である。
【図２２】各パターンの周辺に設ける縁取りを説明するための図である。
【図２３】平行な直線透明部と直線不透明部との繰り返しパターンからなる判別パターンの幅関係を説明するための図である。
【図２４】他の実施形態の判別具を示す図である。
【図２５】判別具の波線透明部と波線不透明部を示す図である。
【図２６】光回折構造による隠しパターンを内包する表示体を転写箔として構成する場合の層構成を示す断面図である。
【図２７】光回折構造による隠しパターンを内包する表示体をラベルとして構成する場合の層構成を示す断面図である。
【図２８】光回折構造による隠しパターンを内包する表示体を脆質ラベルとして構成する場合の層構成を示す断面図である。
【図２９】光回折構造による隠しパターンを内包する表示体をフィルムとして構成する場合の層構成を示す断面図である。
【発明を実施するための形態】
【００２５】
以下、図面を参照して本発明の光回折構造による隠しパターン及びそのための判別具について説明する。
【００２６】
図１は、本発明の１実施例として、本発明による隠しパターンを有する光回折構造を転写した印刷物の一例について説明するための図である。偽造、又は、コピーを牽制するために隠しパターンを内包する表示体１が印刷物４の所定の位置に形成されている。この場合の表示体１は、凹凸が形成された極めて薄い樹脂が熱によって所定の大きさに溶断されて熱再活性型の接着剤によってラベルとして紙等の印刷物４上に形成されている。
【００２７】
あるいは、ベースフィルムの上に光回折構造を形成した状態で所定の大きさに打ち抜かれ、ベースフィルムと一緒に粘着材又は接着剤によって印刷物４上に形成される。
【００２８】
このような表示体１が形成された印刷物は、偽造又は複写されては困るものが多く、例えば、紙幣、商品券、入場券、ギフト券、手形、小切手等がその対象になる。また、印刷自体にも特殊な技術を持ち合わせていないと複製できない手法が盛り込まれており、偽造、複写による悪用に対して二重にプロテクトされている。
【００２９】
表示面１は、隠しパターンを含む部分表示面２とその他の部分表示面３とからなっており、部分表示面２と部分表示面３は共に光回折構造による表示面であっても、隠しパターンを含む部分表示面２のみが光回折構造による表示面であって、その他の部分表示面３は印刷等光回折構造によらない表示面であってもよい。もちろん、表示面３が光回折構造による隠しパターンを含む部分表示面２のみからなっていてもよい。
【００３０】
図２は、本実施形態において部分表示面中の均一な特性及び構成を有する表示単位領域の基本構成を説明するための図である。
【００３１】
図２に示すように、部分表示面２は、均一な特性及び構成を有する表示単位領域５が並列集合している。表示単位領域５は表示パターンに応じた任意の外形及び内形パターン領域を構成しており、そのパターン領域は、相互に隣接していて平行で、回折特性の異なる第１波線縞６1と第２波線縞６2の縞対６の繰り返しにより埋めつくされてなり、第１波線縞６1は第１直線回折格子６’1によって構成され、第２波線縞６2は第２直線回折格子６’2によって構成されている。
【００３２】
ここで、第１波線縞６1、第２波線縞６2の基準線Ｓに対する傾き角をα、第１直線回折格子６’1の基準線Ｓに対する傾き角をβ1、第２直線回折格子６’2の基準線Ｓに対する傾き角をβ2 とする。また、基準線Ｓとしては、例えば部分表示面２の表示パターンに対し水平と認識される方向、例えば表示面２の長辺方向に平行な直線が用いられる。なお、回折格子６’1、６’2の傾き角β1、β2は、格子線の基準線Ｓに対する角度である。
【００３３】
図３は、本実施形態の縞対６を示す拡大図である。
【００３４】
縞対６は、第１波線縞６1及び第２波線縞６2を有する。第１波線縞６1の繰り返しピッチをｄ1、第２波線縞６2の繰り返しピッチをｄ2とすると、縞対６の繰り返しピッチは、ｄ＝ｄ1＋ｄ2となる。ここで、縞対６の繰り返しピッチｄは、ｄ≦１／５ｍｍに設定されることが好ましい。
【００３５】
また、第１波線縞６1は、繰り返しピッチｄ1に対して高さｈの凸部と凹部を交互に有して波形を形成している。同様に、第２波線縞６2は、繰り返しピッチｄ2に対して高さｈの凸部との凹部を交互に有して波形を形成している。凹凸の個数は、０．５〜５個／ｍｍが好ましい。また、凹凸の高さｈは、第１波線縞６1の繰り返しピッチｄ1及び第２波線縞６2の繰り返しピッチｄ2の５〜２０％が好ましい。
【００３６】
図２に示すように、第１直線回折格子６’1と第２直線回折格子６’2とは、傾き角が異なる（β1≠β2）か、その回折格子の格子ピッチが異なるかの少なくとも一方を満たすように選ばれている。なお、第１直線回折格子６’1、第２直線回折格子６’2の格子ピッチは、当然ながら縞対６の繰り返しピッチｄに比較して十分に小さく設定される。通常、回折格子６’1、６’2の格子ピッチとしては、０．５μｍ〜２μｍの範囲のものが用いられる。また、第１直線回折格子６’1と第２直線回折格子６’2との傾き角の差｜β1−β2｜は、限定的ではないが、３０°〜９０°の範囲に設定するのが望ましい。
【００３７】
以上のように、本発明の光回折構造による隠しパターンを含む部分表示面２を並列集合して構成する表示単位領域５は、直線回折格子６’1、６’2と、それらの直線回折格子によって構成される第１波線縞６1、第２波線縞６2の縞対６との二重構造を持つものであり、その二重構造に特徴があるものである。
【００３８】
なお、以後の説明において、第１直線回折格子６’1、第２直線回折格子６’2は、特に必要のないとき、何れも直線の用語を省いて、第１回折格子６’1、第２回折格子６’2と呼ぶ。
【００３９】
図４は、第１実施形態の光回折構造による隠しパターンを含む部分表示面２の拡大図である。
【００４０】
図４に示すように、部分表示面２においては、表示パターンとしては、背景の中央部の文字"Ｈ"の部分を除いた第１の領域１１と、中央部の文字"Ｈ"の第２の領域１２と、を有する。ここで、文字"Ｈ"が隠しパターンとして構成されるものである。
【００４１】
図５は、図４の破線で囲まれたＡ部分の拡大図である。
【００４２】
非隠しパターン領域１１を構成する第１波線縞１１1a、第２波線縞１１1b（第１縞対１１1）の傾き角α11は、例えば４５°に選択される。また、隠しパターン領域１２を構成する第１波線縞１２1a、第２波線縞１２1b（第２縞対１２1）の傾き角α12は、例えば１３５°に選択される。なお、第１実施形態では、非隠しパターン領域１１の縞対１１1の繰り返しピッチｄ11及び隠しパターン領域１１の縞対１２1の繰り返しピッチｄ12は、等しく設定される。
【００４３】
非隠しパターン領域１１の第１波線縞１１1aの第１回折格子１１’1aは、傾き角β11a＝０°に選択されている。また、非隠しパターン領域１１の第２波線縞１１1bの第２回折格子１１’1bは、傾き角β11b＝４５°に選択されている。
【００４４】
隠しパターン領域１２の第１波線縞１２1aの第１回折格子１２’1aは、傾き角β12a＝０°に選択されている。また、隠しパターン領域１２の第２波線縞１２1bの第２回折格子１２’1bは、傾き角β12b＝４５°に選択されている。
【００４５】
すなわち、第１実施形態の表示面２においては、傾き角β11a＝０°の非隠しパターン領域１１の第１回折格子１１’1a及び隠しパターン領域１２の第１回折格子１２’1a、並びに、傾き角β11b＝４５°の非隠しパターン領域１１の第２回折格子１１’1b及び隠しパターン領域１２の第２回折格子１２’1b、をそれぞれほぼ同じ割合で含む。
【００４６】
また、第１実施形態の非隠しパターン領域１１の縞対１１1の傾き角α11と隠しパターン領域１２の縞対１２1の傾き角α12は、異なる。さらに、非隠しパターン領域１１の縞対１１1の繰り返しピッチｄ11及び隠しパターン領域１２の縞対１２1の繰り返しピッチｄ12は、ｄ11，ｄ12≦１／５ｍｍを満たすように等しく設定される。なお、縞対１１1の繰り返しピッチｄ11と縞対１２1の繰り返しピッチｄ12は、異なってもよい。
【００４７】
そして、非隠しパターン領域１１の第１回折格子１１’1aの傾き角β11a及び隠しパターン領域１２の第１回折格子１２’1aの傾き角β12aを０°、非隠しパターン領域１１の第２回折格子１１’1bの傾き角β11b及び隠しパターン領域１２の第２回折格子１２’1bの傾き角β12bを４５°とそれぞれ共通にしたので、通常の目視状態では相互に判別できない。
【００４８】
したがって、後記する判別具を用いない通常の目視状態では、表示面２全体は均一な明るさの何ら表示パターンのない状態に観察され、隠し文字"Ｈ"は判別不可能である。
【００４９】
図６は、図４の部分表示面の隠しパターンを判別するための判別具の一例の平面図である。
【００５０】
判別具２０は、平行な直線透明部２０ａと直線不透明部２０ｂとの繰り返しパターンであって、その繰り返しピッチが表示面２の縞対１２1の繰り返しピッチｄ12と等しいピッチｄ20を有し、直線透明部２０ａ、直線不透明部２０ｂの基準線Ｓに対する傾き角α20が、隠しパターン領域１２の縞対１２1の傾き角α12と同じ１３５°を有する。
【００５１】
図７は判別具を図４の部分表示面に重ね合わせた状態を示す図、図８は図４の部分表示面から判別される隠しパターンを示す図である。
【００５２】
図７に示すように、図６に示すような判別具２０を、図４の部分表示面２に近接あるいは密着して重ね合わせると、隠しパターン領域１２では、図５に示した縞対１２1の第１波線縞１２1a又は第２波線縞１２1bの傾き角α12＝１３５°が、判別具２０の直線透明部２０ａ、直線不透明部２０ｂの基準線Ｓに対する傾き角α20＝１３５°と同一なので、モアレ現象が生じる。
【００５３】
このモアレ現象により、隠しパターン領域１２の縞対１２1の第１波線縞１２1a又は第２波線縞１２1bのいずれか一方が直線透明部２０ａに略対応し、他方が直線不透明部２０ｂに略対応することになる結果、隠しパターン領域１２の第１回折格子１２’1a又は第２回折格子１２’1bの一方による回折光が回折方向に回折される。
【００５４】
これに対して、非隠しパターン領域１１では、縞対１１1の第１波線縞１１1a又は第２波線縞１１1bの傾き角α11＝４５°が、判別具２０の直線透明部２０ａ、直線不透明部２０ｂの基準線Ｓに対する傾き角α20＝１３５°に対して大きく異なるので、何らモアレ現象が起きない。
【００５５】
したがって、隠しパターン領域１２において直線不透明部２０ｂで隠されなかった第１回折格子１２’1a又は第２回折格子１２’1bが直線透明部２０ａを介して略半分の密度で露出され、略半分の回折強度で同じ方向に回折光を回折する。
【００５６】
その結果、図８に示すように、部分表示面２のうち、隠しパターン領域１２が相対的により明るく、非隠しパターン領域１１が相対的により暗く観察され、この例では隠し文字"Ｈ"が判別可能となる。
【００５７】
図９は、第２実施形態の光回折構造による隠しパターンを含む部分表示面２の拡大図である。
【００５８】
図９に示すように、部分表示面２においては、表示パターンとしては、背景の中央部の文字"Ｈ"の部分を除いた非隠しパターン領域１１と、中央部の文字"Ｈ"の隠しパターン領域１２と、を有する。ここで、文字"Ｈ"が隠しパターンとして構成されるものである。
【００５９】
図１０は、図９の破線で囲まれたＢ部分の拡大図である。
【００６０】
非隠しパターン領域１１を構成する第１波線縞１１1a、第２波線縞１１1b（縞対１１1）の繰り返しピッチをｄ11とし、隠しパターン領域１２を構成する第１波線縞１２1a、第２波線縞１２1b（縞対１２1）の繰り返しピッチｄ12とする。なお、第２実施形態では、非隠しパターン領域１１の縞対１１1の傾き角度α11及び隠しパターン領域１２の縞対１２1の傾き角度α12は、共に４５°に設定される。
【００６１】
非隠しパターン領域１１の第１波線縞１１1aの第１回折格子１１’1aは、傾き角β11a＝０°に選択されている。また、非隠しパターン領域１１の第２波線縞１１1bの第２回折格子１１’1bは、傾き角β11b＝４５°に選択されている。
【００６２】
隠しパターン領域１２の第１波線縞１２1aの第１回折格子１２’1aは、傾き角β12a＝０°に選択されている。また、隠しパターン領域１２の第２波線縞１２1bの第２回折格子１２’1bは、傾き角β12b＝４５°に選択されている。
【００６３】
すなわち、第２実施形態の表示面２においては、傾き角β11a＝０°の非隠しパターン領域１１の第１回折格子１１’1a及び隠しパターン領域１２の第１回折格子１２’1a、傾き角β11b＝４５°の非隠しパターン領域１１の第２回折格子１１’1b及び隠しパターン領域１２の第２回折格子１２’1b、を同じ割合で含むものである。
【００６４】
また、第１実施形態では、非隠しパターン領域１１の縞対１１1の繰り返しピッチｄ11及び隠しパターン領域１２の縞対１２1 の繰り返しピッチｄ12が異なる。また、非隠しパターン領域１１の縞対１１1 の傾き角α11及び隠しパターン領域１２の縞対１２1 の傾き角α12は、４５°を満たすように設定される。
【００６５】
そして、非隠しパターン領域１１の第１回折格子１１’1aの傾き角β11a及び隠しパターン領域１２の第１回折格子１２’1aの傾き角β12aを０°、非隠しパターン領域１１の第２回折格子１１’1bの傾き角β11b及び隠しパターン領域１２の第２回折格子１２’1bの傾き角β12b を４５°とそれぞれ共通にしたので、通常の目視状態では相互に判別できない。
【００６６】
したがって、後記する判別具を用いない通常の目視状態では、表示面２全体は均一な明るさの何ら表示パターンのない状態に観察され、隠し文字"Ｈ"は判別不可能である。
【００６７】
図１１は、図９の部分表示面の隠しパターンを判別するための判別具の一例の平面図である。
【００６８】
判別具２１は、平行な直線透明部２１ａと直線不透明部２１ｂとの繰り返しパターンであって、その繰り返しピッチが表示面２の隠しパターン領域１２の縞対１２1の繰り返しピッチｄ12と同じピッチｄ21を有し、直線透明部２１ａ、直線不透明部２１ｂの基準線Ｓに対する傾き角αが、隠しパターン領域１２の縞対１２1の傾き角α12と同じ傾き角α21＝４５°を有する。
【００６９】
図１２は判別具を図９の部分表示面に重ね合わせた状態を示す図、図１３は図９の部分表示面から判別される隠しパターンを示す図である。
【００７０】
図１２に示すように、図１１に示すような判別具２１を、図９の部分表示面２に近接あるいは密着して重ね合わせると、図１０に示した隠しパターン領域１２では、縞対１２1の第１波線縞１２1a又は第２波線縞１２1bの傾き角α12＝４５°が、判別具２０の直線透明部２１ａ、直線不透明部２１ｂの基準線Ｓに対する傾き角α21＝４５°と同一で有ると共に、縞対１２1の繰り返しピッチｄ12が判別具２０の直線透明部２１ａと直線不透明部２１ｂとの繰り返しピッチｄ21と同じなので、モアレ現象が生じる。
【００７１】
このモアレ現象により、縞対１２1の第１波線縞１２1a又は第２波線縞１２1bのいずれか一方が直線透明部２１ａに略対応し、他方が直線不透明部２１ｂに略対応することになる結果、第１回折格子１２’1a又は第２回折格子１２’1bの一方による回折光が回折方向に回折される。
【００７２】
これに対して、非隠しパターン領域１１では、図１０に示した第１縞対１１1の第１波線縞１１1a又は第２波線縞１１1bの繰り返しピッチｄ11が、図１１に示した判別具２１の直線透明部２１ａと直線不透明部２１ｂとの繰り返しピッチｄ21に対して異なるので、何らモアレ現象が起きない。
【００７３】
したがって、隠しパターン領域１２において直線不透明部２１ｂで隠されなかった第１回折格子１２’1a又は第２回折格子１２’1bが直線透明部２１ａを介して略半分の密度で露出され、略半分の回折強度で同じ方向に回折光を回折する。
【００７４】
その結果、図１３に示すように、部分表示面２のうち、隠しパターン領域１２が相対的により明るく、非隠しパターン領域１１が相対的により暗く観察され、この例では隠し文字"Ｈ"が判別可能となる。
【００７５】
次に、第３実施形態について説明する。
【００７６】
図１４は、第３実施形態の光回折構造による隠しパターンを含む部分表示面２の拡大図である。
【００７７】
この表示面２においては、表示パターンとしては、中央部に四角形パターンと、その背景の長方形から中央部の四角形領域を除いたパターンと、それらに重畳している文字"Ｈ"とからなる。ここで、文字"Ｈ"が隠しパターンとして構成されるものである。
【００７８】
そして、この表示面２において、並列配置される領域は次のようになる。
・第１非隠しパターン領域１１ａ：長方形から中央部四角形領域と文字"Ｈ"とを除いた領域
・第１隠しパターン領域１２ａ：文字"Ｈ"で中央部四角形領域から外に出た領域
・第２非隠しパターン領域１１ｂ：中央部四角形領域の文字"Ｈ"と重ならない領域
・第２隠しパターン領域１２ｂ：中央部四角形領域の文字"Ｈ"の領域
【００７９】
すなわち、第１非隠しパターン領域１１ａ、第１隠しパターン領域１２ａ、第２非隠しパターン領域１１ｂ、及び第２隠しパターン領域１２ｂの４つのパターンが並列して、表示面２を構成している。隠しパターンの文字"Ｈ"は、第１隠しパターン領域１２ａと第２隠しパターン領域１２ｂが並列して構成されている。
【００８０】
図１５は、図１４の破線で囲まれたＣ部分の拡大図である。
【００８１】
文字パターン"Ｈ"以外の第１非隠しパターン領域１１ａでは、第１波線縞１１ａ1a、第２波線縞１１ａ1b（縞対１１ａ1）の傾き角α11aを４５°に選択する。同様に、文字パターン"Ｈ"以外の第２非隠しパターン領域１１ｂでは、第１波線縞１１ｂ1a、第２波線縞１１ｂ1b（縞対１１ｂ1）の傾き角α11bを４５°に選択する。
【００８２】
文字パターンＨを構成する第１隠しパターン領域１２ａでは、第１波線縞１２ａ1a、第２波線縞１２ａ1b（縞対１２ａ1）の傾き角α12aを１３５°に選択する。同様に、文字パターンＨを構成する第２隠しパターン領域１２ｂでは、第１波線縞１２ｂ1a、第２波線縞１２ｂ1b（縞対１２ｂ1）の傾き角α12bを１３５°に選択する。
【００８３】
さらに、第３実施形態では、第１非隠しパターン領域１１ａの縞対１１ａ1、第２非隠しパターン領域１１ｂの縞対１１ｂ1、第１隠しパターン領域１２ａの縞対１２ａ1、及び第２隠しパターン領域１２ｂの縞対１２ｂ1の繰り返しピッチｄは、全て同じに設定される。
【００８４】
中央部四角形の外側の第１非隠しパターン領域１１ａでは、第１波線縞１１ａ1aの第１回折格子１１’ａ1aの傾き角β11a1は、０°、第２波線縞１１ａ1bの第２回折格子１１’ａ1bの傾き角β11a2は、４５°に設定する。また、中央部四角形の内側の第２非隠しパターン領域１１ｂでは、第１波線縞１１ｂ1aの第１回折格子１１’ｂ1aの傾き角β11b1は、９０°、第２波線縞１１ｂ1bの第２回折格子１１’ｂ1bの傾き角β11b2は、１３５°に設定する。
【００８５】
中央部四角形の外側の第１隠しパターン領域１２ａでは、第１波線縞１２ａ1aの第１回折格子１２’ａ1aの傾き角β12a1は、０°、第２波線縞１２ａ1bの第２回折格子１２’ａ1bの傾き角β12a2は、４５°に設定する。また、中央部四角形の内側の第２隠しパターン領域１２ｂでは、第１波線縞１２ｂ1aの第１回折格子１２’ｂ1aの傾き角β12b1は、９０°、第２波線縞１２ｂ1bの第２回折格子１２’ｂ1bの傾き角β12b2は、１３５°に設定する。
【００８６】
図１６は、部分表示面２を目視によって見た図である。
【００８７】
図１５に示したように、中央部四角形の外側の第１非隠しパターン領域１１ａの第１回折格子１１’ａ1a（傾き角β11a1＝０°）及び第２回折格子１１’ａ1b（傾き角β11a2＝４５°）、並びに、第１隠しパターン領域１２ａの第１回折格子１２’ａ1a（傾き角β12a1＝０°）及び第２回折格子１２’ａ1b（傾き角β12a2＝４５°）は、それぞれ同じ割合で含まれる。したがって、図１６の１３ａに示すように、第１の図柄として通常の目視状態では同じ明るさで同じ色の一様領域に見える。
【００８８】
同様に、図１５に示したように、中央部四角形の内側の第２非隠しパターン領域１１ｂの第１回折格子１１’ｂ1a（傾き角β11b1＝９０°）及び第２回折格子１１’ｂ1b（傾き角β11b2＝１３５°）、並びに、第２隠しパターン領域１２ｂの第１回折格子１２’ｂ1a（傾き角β12b1＝９０°）及び第２回折格子１２’ｂ1b（傾き角β12b2＝１３５°）は、それぞれ同じ割合で含まれる。したがって、図１６の１３ｂに示すように、第２の図柄として通常の目視状態では同じ明るさで同じ色の一様領域に見える。
【００８９】
このような部分表示面２に、図６に平面図を示すような平行な直線透明部２０ａと直線不透明部２０ｂとの繰り返しパターンであって、その繰り返しピッチｄが表示面２の縞対の繰り返しピッチｄと同じであり、直線透明部２０ａと直線不透明部２０ｂの基準線Ｓに対する傾き角α＝１３５°が、隠し文字パターン“Ｈ”を構成する第１隠しパターン領域１２ａの縞対１２ａ1及び第２隠しパターン領域１２ｂの縞対１２ｂ1の傾き角と同じ１３５°の判別具２０を近接あるいは密着して重ね合わせるとモアレ現象が生じる。
【００９０】
このモアレ現象により、第１隠しパターン領域１２ａの縞対１２ａ1の第１波線縞１２ａ1a又は第２波線縞１２ａ1bのいずれか一方が直線透明部２０ａに略対応し、他方が直線不透明部２０ｂに略対応することになる結果、第１隠しパターン領域１２ａの第１回折格子１２’ａ1a又は第２回折格子１２’ａ1bの一方による回折光が回折方向に回折される。
【００９１】
また、同様に、第２隠しパターン領域１２ｂの縞対１２ｂ1の第１波線縞１２ｂ1a又は第２波線縞１２ｂ1bのいずれか一方が直線透明部２０ａに略対応し、他方が直線不透明部２０ｂに略対応することになる結果、第２隠しパターン領域１２ｂの第１回折格子１２’ｂ1a又は第２回折格子１２’ｂ1bの一方による回折光が回折方向に回折される。
【００９２】
これに対して、第１非隠しパターン領域１１ａでは、縞対１１ａ1の第１波線縞１１ａ1a又は第２波線縞１１ａ1bの傾き角α11a＝４５°が、判別具２０の直線透明部２０ａ、直線不透明部２０ｂの基準線Ｓに対する傾き角α＝１３５°に対して大きく異なるので、何らモアレ現象が起きない。
【００９３】
同様に、第２非隠しパターン領域１１ｂでは、縞対１１ｂ1の第１波線縞１１ｂ1a又は第２波線縞１１ｂ1bの傾き角α11b＝４５°が、判別具２０の直線透明部２０ａ、直線不透明部２０ｂの基準線Ｓに対する傾き角α＝１３５°に対して大きく異なるので、何らモアレ現象が起きない。
【００９４】
したがって、第１隠しパターン領域１２ａにおいて直線不透明部２０ｂで隠されなかった第１回折格子１２’ａ1a又は第２回折格子１２’ａ1b、並びに、第２隠しパターン領域１２ｂにおいて直線不透明部２０ｂで隠されなかった第１回折格子１２’ｂ1a又は第２回折格子１２’ｂ1bが直線透明部２０ａを介して略半分の密度で露出され、略半分の回折強度で同じ方向に回折光を回折する。
【００９５】
その結果、図８に示すように、部分表示面２のうち、第１隠しパターン領域１２ａ及び第２隠しパターン領域１２ｂが相対的により明るく、第１非隠しパターン領域１１ａ及び第２非隠しパターン領域１１ｂが相対的により暗く観察され、この例では隠し文字"Ｈ"が判別可能となる。
【００９６】
なお、第１隠しパターン領域１２ａの縞対１２ａ1の第１波線縞１２ａ1a又は第２波線縞１２ａ1bと、第２隠しパターン領域１２ｂの縞対１２ｂ1の第１波線縞１２ｂ1a又は第２波線縞１２ｂ1bとは、連続して形成されることが好ましい。連続して形成することで、より明るく隠し文字"Ｈ"が判別可能となる。
【００９７】
図１７は、第４実施携帯の光回折構造による隠しパターンを含む部分表示面２の拡大図である。
【００９８】
部分表示面２は、長方形内に正方形領域があり、その長方形内に正方形領域と一部重なるように"Ｈ"の文字と"Ｔ"の文字を重ならずに並列して描いたものであり、"Ｈ"の文字の正方形領域内に位置する文字の内側領域Ｈ11（第１図柄の第１隠しパターン領域）と、正方形領域外に位置する文字の内側領域Ｈ12（第２図柄の第１隠しパターン領域）と、"Ｔ"の文字の正方形領域内に位置する文字の内側領域Ｔ11（第１図柄の第２隠しパターン領域）と、正方形領域外に位置する文字の内側領域Ｔ12（第２図柄の第２隠しパターン領域）と、正方形領域の"Ｈ"の文字及び"Ｔ"の文字以外の領域Ｏ11（第１図柄の第１非隠しパターン領域）と、正方形領域の外で"Ｈ"の文字及び"Ｔ"の文字の外側領域Ｏ12（第２図柄の第１非隠しパターン領域）とからなるものであり、例えば、以下のように設定する。
【００９９】
領域Ｈ11
縞対の傾き角：１３５°
縞対の繰り返しピッチ：０．０８ｍｍ
第１回折格子の傾き角：０°
第２回折格子の傾き角：４５°
領域Ｈ12
縞対の傾き角：１３５°
縞対の繰り返しピッチ：０．０８ｍｍ
第１回折格子の傾き角：３０°
第２回折格子の傾き角：７５°
領域Ｔ11
縞対の傾き角：４５°
縞対の繰り返しピッチ：０．１２ｍｍ
第１回折格子の傾き角：０°
第２回折格子の傾き角：４５°
領域Ｔ12
縞対の傾き角：４５°
縞対の繰り返しピッチ：０．１２ｍｍ
第１回折格子の傾き角：３０°
第２回折格子の傾き角：７５°
領域Ｏ11
縞対の傾き角：９０°
縞対の繰り返しピッチ ：０．１６ｍｍ
第１回折格子の傾き角：０°
第２回折格子の傾き角：４５°
領域Ｏ12
縞対の傾き角：９０°
縞対の繰り返しピッチ：０．１６ｍｍ
第１回折格子の傾き角：３０°
第２回折格子の傾き角：７５°
【０１００】
このような配置にすると、部分表示面２において、正方形内の領域である領域Ｈ11と領域Ｔ11と領域Ｏ11では、共に何れの領域においても、傾き角０°の第１回折格子と、傾き角４５°の第２回折格子とが同じ割合で含まれる。また、表示面２の正方形外の領域である領域Ｈ12と領域Ｔ12と領域Ｏ12では、共に何れの領域においても、傾き角３０°の第１回折格子と、傾き角７５°の第２回折格子とが同じ割合で含まれる。
【０１０１】
すなわち、何れも縞対の繰り返しピッチは異なるものの、縞対の繰り返しピッチは１／５ｍｍ以下を満たすように設定されるので、通常の目視状態では、表示面２の正方形内の領域は一様に、正方形外の領域も一様に見え、かつ、正方形内と正方形外では回折方向が異なるので、相互に異なった状態に見え判別できる。したがって、判別具を用いない通常の目視状態では、図１６に示した形態と同様に、表示面２は長方形内に正方形を含む表示パターンとして観察され、隠し文字"Ｈ"と"Ｔ"は判別不可能である。
【０１０２】
図１８は部分表示面２から隠し文字"Ｈ"を判別した状態を示す図である。
【０１０３】
図６に示したような平行な直線透明部２０ａと直線不透明部２０ｂとの繰り返しパターンであって、直線透明部２０ａ、直線不透明部２０ｂの傾き角が領域Ｈ11と領域Ｈ12の縞対の傾き角４５°に等しく、その繰り返しピッチが領域Ｈ11と領域Ｈ12の縞対の繰り返しピッチ０．０８ｍｍに等しい判別具２０を、部分表示面２に近接あるいは密着して重ね合わせると、領域Ｈ11及び領域Ｈ12では観察方向に応じてより明るいか暗く見え、それ以外の領域Ｔ11、Ｔ12、Ｏ11、Ｏ12では反対に相対的に暗いかより明るく観察され、領域Ｈ11、Ｈ12と領域Ｔ11、Ｔ12、Ｏ11、Ｏ12との間で相互にコントラストがついて観察され、図１８に示すように、隠し文字"Ｈ"が判別可能となる。なお、"Ｈ"の文字の正方形の内側領域Ｈ11と外側領域Ｈ12の間では、照明光源の位置により、若干明るさや色が相互に異なって見えるが、通常の目視環境では多くの光源や面光源が存在するので、この"Ｈ"の文字の内側での明るさや色の違いは、隠し文字"Ｈ"を判別するのに邪魔となるものではない。
【０１０４】
図１９は、部分表示面２から隠し文字"Ｔ"を判別した状態を示す図である。
【０１０５】
次に、図１１に示したような平行な直線透明部２１ａと直線不透明部２１ｂとの繰り返しパターンであって、直線透明部２１ａ、直線不透明部２１ｂの傾き角が領域Ｔ11と領域Ｔ12の縞対の傾き角４５°に等しく、その繰り返しピッチが領域Ｔ11と領域Ｔ12の縞対の繰り返しピッチ０．１２ｍｍに等しい判別具２０を、部分表示面２に近接あるいは密着して重ね合わせると、領域Ｔ11、Ｔ12では観察方向に応じてより明るいか暗く見え、それ以外の領域Ｈ11、Ｈ12、Ｏ11、Ｏ12では反対に相対的に暗いかより明るく観察され、領域Ｔ11、Ｔ12と領域Ｈ11、Ｈ12、Ｏ11、Ｏ12との間で相互にコントラストがついて観察され、図１９に示すように、隠し文字"Ｔ"が判別可能となる。なお、"Ｔ"の文字の正方形の内側領域Ｔ11と外側領域Ｔ12の間では、照明光源の位置により、若干明るさや色が相互に異なって見えるが、通常の目視環境では多くの光源や面光源が存在するので、この"ＴＢ"の文字の内側での明るさや色の違いは、隠し文字"Ｔ"を判別するのに邪魔となるものではない。
【０１０６】
図２０は図２１の部分表示面の隠しパターンを判別するための判別具の一例の平面図、図２１は部分表示面２から隠し文字"Ｈ"及び"Ｔ"を判別した状態を示す図である。
【０１０７】
次に、図２０に示したような平行な直線透明部２２ａと直線不透明部２２ｂとの繰り返しパターンであって、直線透明部２２ａ、直線不透明部２２ｂの傾き角が領域Ｏ11と領域Ｏ12の縞対の傾き角９０°に等しく、その繰り返しピッチが領域Ｏ11と領域Ｏ12の縞対の繰り返しピッチ０．１６ｍｍに等しい判別具２２を、部分表示面２に近接あるいは密着して重ね合わせると、領域Ｏ11と領域Ｏ12では観察方向に応じてより明るいか暗く見え、それ以外の領域Ｈ11、Ｈ12、Ｔ11、Ｔ12は相対的に暗いかより明るく観察され、図２１に示すように、隠し文字"ＨＴ"が判別可能となる。なお、隠し文字"ＨＴ"外の領域Ｏ11と領域Ｏ12の間では、照明光源の位置により、若干明るさや色が相互に異なって見えるが、通常の目視環境では多くの光源や面光源が存在するので、この"隠し文字"ＨＴ"外での明るさや色の違いは、隠し文字"ＨＴ"を判別するのに邪魔となるものではない。
【０１０８】
次に、第１実施形態〜第４実施形態までの部分表示面２に形成した波線縞の実施例について説明する。
【０１０９】
実施例１では、図３に示した波線縞対６の第１波線縞６1のピッチｄ1及び第２波線縞６2のピッチｄ2を８５μｍ、凹凸の高さを６０μｍ又は１２０μｍとし、１ｍｍあたりの凹凸の個数を変化させた際のモアレ模様の視認性を、直線縞と相対的に比較した。なお、以下の表１及び表２中、凹凸個数が０の場合が直線縞の場合に相当し、直線縞の場合の視認性を△とし、直線縞よりも視認しやすい場合を○、さらにしやすい場合を◎、視認しにくい場合を×とする。
【０１１０】
表１
凹凸高さ：６０μｍ
凹凸個数        0    0.25   0.5   1    2    5    10 
視認性          △   ○     ◎    ◎   ○   ○   △
【０１１１】
表２
凹凸高さ：１２０μｍ
凹凸個数        0    0.25   0.5   1    2    5    10 
視認性          △   ○     ◎    ◎   ○   ○   △
【０１１２】
このように、波線縞の凹凸の高さが６０μｍ及び１２０μｍのどちらの場合でも、直線縞の場合の視認性よりも、波線縞の視認性は良好であった。
【０１１３】
次に、実施例２では、図３に第１波線縞６1のピッチｄ1及び第２波線縞６2のピッチｄ2を８５μｍ、第１波線縞６1及び第２波線縞６2の１ｍｍあたりの凹凸の個数を０．５個又は１個とし、凹凸の高さを変化させた際のモアレ模様の視認性を、直線縞と相対的に比較した。なお、以下の表３及び表４中、凹凸個数が０の場合が直線縞の場合に相当し、直線縞の場合の視認性を△とし、直線縞よりも視認しやすい場合を○、さらにしやすい場合を◎、視認しにくい場合を×とする。
【０１１４】
表３
凹凸個数：０．５個／ｍｍ
凹凸高さ          0     5    10    15    20    25    30 
視認性           △    ○    ◎    ◎    ◎    ○    △
【０１１５】
表４
凹凸個数：１個／ｍｍ
凹凸高さ          0     5    10    15    20    25    30 
視認性           △    ○    ◎    ◎    ◎    ○    △
【０１１６】
このように、波線縞の凹凸個数が０．５個／ｍｍ及び１個／ｍｍのどちらの場合でも、直線縞の場合の視認性よりも、波線縞の視認性は良好であった。
【０１１７】
図２２は、各パターンの周辺に設ける縁取りを説明するための図である。
【０１１８】
判別具を用いない通常の目視状態で判別可能なパターン（図１６の正方形パターン）、隠しパターン（図８、図１３、図１７、及び図２１の"Ｈ"の文字パターン、図１９及び図２１の"Ｔ"の文字パターン）共に、それぞれのパターンＰの周辺に、図２２に示すように、そのパターンＰを構成する縞対６の周期に対して半周期ずれた周期の縞対で縁取りＰ'を形成することもできる。このような縁取りＰ'を施すことによって、判別困難な隠しパターンを、判別具を用いて判別する際に、判別しやすくし、判別可能なパターンに対してもその境界をより鮮明化する効果がある。
【０１１９】
以上の説明では、縞対を構成する第１回折格子と第２回折格子は、傾き角が異なるか、その回折格子の格子ピッチが異なるかの少なくとも一方を満たすように選ぶものとしたが、その傾き角と格子ピッチの２つの要素を共に異ならせて構成することにより、隠しパターンの効果をより高めることができる。
【０１２０】
また、以上において、判別具２０〜２２は、平行な直線透明部２０ａ〜２２ａと直線不透明部２０ｂ〜２２ｂとの繰り返しパターンであって、その繰り返しピッチが表示面の何れかの隠しパターンの領域の縞対の繰り返しピッチと同じピッチを有し、直線透明部２０ａ〜２２ａ、直線不透明部２０ｂ〜２２ｂの基準線に対する傾き角が、隠しパターンの領域の縞対の傾き角と同じであればよいと説明したが、このような判別具２０〜２２は、印刷物４に対して決められた角度で近づけると、判別具２０〜２２を介して隠しパターンが表示される。判別具２０〜２２を介して表示された隠しパターンが所定のパターンであった場合に、その印刷物は正しい供給者から供給された正当な製品（真正品）であると判定される。
【０１２１】
判別具２０〜２２は、その判別具を透過して印刷物の隠しパターンに照射された光を観察者が目視できなければならないために、透明なベース基材に判別パターンが形成されているものを用いる。ベース基材は透明度が高い方が好ましい。また、判別具２０〜２２は、頻繁に使用されるために、ベース基材を強固な枠材で固定したものが多く使用される。この枠材には取っ手等を付けることも可能で、そのことによって判別具２０〜２２の透明なベース基材が指紋や油で汚れることを防止する。
【０１２２】
隠しパターンの判別に際し、判別具２０〜２２を、表示体１が形成された印刷物４に密着させる程度に近づけて判別する。その密着の状態から一定の距離までは隠しパターンの判別が可能であるが、モアレ現象を利用しているために、表示体１と判別具２０〜２２の距離が空きすぎると、判別が困難になる。
【０１２３】
ところで、判別具２０〜２２は、基準線Ｓに対して、直線透明部２０ａ〜２２ａと直線不透明部２０ｂ〜２２ｂの傾き角が所定角度αの万線パターンで構成することができる。万線は、直線透明部２０ａ〜２２ａと着色された直線不透明部２０ｂ〜２２ｂが対となった繰り返しパターンであり、透明な直線透明部２０ａ〜２２ａの幅と、着色された直線不透明部２０ｂ〜２２ｂの幅は、同一でも、異なっていてもよい。
【０１２４】
なお、このような万線パターンの代わりに網点パターンによっても、判別具２０〜２２を構成することができる。方向性のある網点は、透明な部分と着色された部分が独立した点、又は、２箇所が鎖状に繋がった点で構成されており、透明な部分を繋ぐ（鎖状の）線と、着色された部分を繋ぐ（鎖状の）線が対になって、直線透明部２０ａ〜２２ａと直線不透明部２０ｂ〜２２ｂに相当する判別パターンが構成される。
【０１２５】
ところで、判別具２１として、図１１に示すように、平行な直線透明部２１ａと直線不透明部２１ｂとの繰り返しパターンからなる判別パターンを用いる場合に、図２３にその繰り返しパターンの一部を拡大して示すように、直線透明部２１ａの幅をａ、直線不透明部２１ｂの幅をｂとするとき、ａ／ｂ≒１、すなわち、直線透明部２１ａと直線不透明部２１ｂを略同じ幅としてもよいが、ａ／ｂは２／３〜１／４の範囲、すなわち、直線透明部２１ａの幅を直線不透明部２１ｂの幅より小さく設定することが望ましい。その理由は、２／３≧ａ／ｂ≧１／４の範囲においては、判別具２１を表示面２に近接あるいは密着して重ね合わせると、隠しパターン"Ｈ"等がコントラスト良く観察される。これに対して、ａ／ｂが２／３を越えると、判別具２１を通して見える光量が多すぎて明るくなりすぎてコントラストが低下し、隠しパターンが見え難くなり、逆に、ａ／ｂが１／４を下回ると、その光量が少なすぎて暗くなって隠しパターンが見え難くなるためである。
【０１２６】
図２４は他の実施形態の判別具を示す図、図２５は判別具の波線透明部と波線不透明部を示す図である。
【０１２７】
また、判別具２０’として、図２４に示すように、平行な波線透明部２０’ａと波線不透明部２０’ｂとの繰り返しパターンからなる判別パターンを用いてもよい。
【０１２８】
判別具２０’は、波線透明部２０’ａと波線不透明部２０’ｂを有する。波線透明部２０’ａの繰り返しピッチをｄ1 、波線不透明部２０’ｂの繰り返しピッチをｄ2 とすると、波線透明部２０’ａ及び波線不透明部２０’ｂの繰り返しピッチは、ｄ＝ｄ1＋ｄ2となる。ここで、波線透明部２０’ａ及び波線不透明部２０’ｂの繰り返しピッチｄは、ｄ≦１／５ｍｍに設定されることが好ましい。
【０１２９】
また、波線透明部２０’ａは、繰り返しピッチｄ1 に対して高さｈの凸部と凹部を交互に有して波形を形成している。同様に、波線不透明部２０’ｂは、繰り返しピッチｄ2 に対して高さｈの凸部と凹部を交互に有して波形を形成している。凹凸の個数は、０．５〜５個／ｍｍが好ましい。また、凹凸の高さｈは、波線透明部２０’ａの繰り返しピッチｄ1 、及び波線不透明部２０ｂの繰り返しピッチｄ2 の５〜２０％が好ましい。
【０１３０】
次に、判別具２０’に形成した波線透明部２０’ａと波線不透明部２０’ｂの実施例について説明する。
【０１３１】
実施例３では、図２５に示した波線透明部２０’ａのピッチｄ1及び波線不透明部２０’ｂのピッチを８５μｍ、凹凸の高さを６０μｍ又は１２０μｍとし、１ｍｍあたりの凹凸の個数を変化させた際のモアレ模様の視認性を、図６、図１１、及び図２０に示した直線透明部２０ａ及び直線不透明部２０ｂの判別具２０と相対的に比較した。なお、以下の表５及び表６中、凹凸個数が０の場合が直線透明部２０ａ及び直線不透明部２０ｂの場合に相当し、直線透明部２０ａ及び直線不透明部２０ｂの場合の視認性を△とし、直線透明部２０ａ及び直線不透明部２０ｂよりも視認しやすい場合を○、さらにしやすい場合を◎、視認しにくい場合を×とする。
【０１３２】
表５
凹凸高さ：６０μｍ
凹凸個数        0    0.25   0.5   1    2    5    10 
視認性          △   ○     ◎    ◎   ○   ○   △
【０１３３】
表６
凹凸高さ：１２０μｍ
凹凸個数        0    0.25   0.5   1    2    5    10 
視認性          △   ○     ◎    ◎   ○   ○   △
【０１３４】
このように、波線透明部２０’ａ及び波線不透明部２０’ｂの凹凸の高さが６０μｍ及び１２０μｍのどちらの場合でも、直線透明部２０ａ及び直線不透明部２０ｂの場合の視認性よりも、波線透明部２０’ａ及び波線不透明部２０’ｂの視認性は良好であった。
【０１３５】
次に、実施例４では、図３に波線透明部２０’ａのピッチｄ1及び波線不透明部２０’ｂのピッチｄ2を８５μｍ、波線透明部２０’ａ及び波線不透明部２０’ｂの１ｍｍあたりの凹凸の個数を０．５個又は１個とし、凹凸の高さを変化させた際のモアレ模様の視認性を、直線透明部２０ａ及び直線不透明部２０ｂと相対的に比較した。なお、以下の表７及び表８中、凹凸個数が０の場合が直線透明部２０ａ及び直線不透明部２０ｂの場合に相当し、直線透明部２０ａ及び直線不透明部２０ｂの場合の視認性を△とし、直線透明部２０ａ及び直線不透明部２０ｂよりも視認しやすい場合を○、さらにしやすい場合を◎、視認しにくい場合を×とする。
【０１３６】
表７
凹凸個数：０．５個／ｍｍ
凹凸高さ          0     5    10    15    20    25    30 
視認性           △    ○    ◎    ◎    ◎    ○    △
【０１３７】
表８
凹凸個数：１個／ｍｍ
凹凸高さ          0     5    10    15    20    25    30 
視認性           △    ○    ◎    ◎    ◎    ○    △
【０１３８】
このように、波線透明部２０’ａ及び波線不透明部２０’ｂの凹凸個数が０．５個／ｍｍ及び１個／ｍｍのどちらの場合でも、直線透明部２０ａ及び直線不透明部２０ｂの場合の視認性よりも、波線透明部２０’ａ及び波線不透明部２０’ｂの視認性は良好であった。
【０１３９】
ところで、以上の説明において、図１に示した表示体１の表示面２の光回折構造を構成する回折格子については、詳しく説明しなかった。通常、印刷物等に貼着して用いる表示面２に用いる回折格子としては、凹凸のレリーフ構造の回折格子のレリーフ面あるいは平面に蒸着等で金属反射膜を設けて反射型とした回折格子が用いられるが、それ以外に、振幅が周期的に変化する振幅型回折格子を構成するもの又は屈折率が周期的に変化して位相型回折格子を構成するものの裏面に金属反射膜を設けて反射型とした回折格子、体積型感光材料中に干渉縞で回折格子を構成した体積型回折格子等を用いてもよい。
【０１４０】
もちろん、表示面を反射型でなく透過型のもので構成し、回折格子も透過型の回折格子で構成してもよい。
【０１４１】
さて、本実施形態のような隠しパターンを含む部分表示面を有する表示体（又は、表示面２のみ）は、転写箔、ラベル、フィルム等種々の形態に構成することができる。転写箔形態の場合には、例えば商品券、クレジットカード、パッケージ等に適用でき、ラベル形態の場合には、例えばソフトウエア、カートリッジ、医薬品等のパッケージ等に適用でき、フィルム形態の場合には、例えばそのフィルムを１〜２ｍｍ程度の幅にマイクロスリットし、用紙の抄造時に紙中に共に抄き込んで偽造防止を図ることができる。また、ラベル形態の場合には、脆質層を層構成中に介在させて、偽造のためにラベルを剥離しようとしたときにその脆質層から剥がれるようにして偽造のために表示体を剥がすことを困難にすることができる（脆質ラベル）。以下、本発明の光回折構造による隠しパターンを内包する表示体を、転写箔、ラベル、脆質ラベル、フィルムの各形態に構成する場合の、層構成とその作製工程の例を説明する。
【０１４２】
図２６は、本発明の光回折構造による隠しパターンを内包する表示体を転写箔３１として構成する場合の層構成を示す断面図であり、その作製方法に従ってその構成を説明すると、ＰＥＴ等の透明樹脂フィルムからなる基材４４上に剥離層４５を塗布し、その剥離層４５上に回折格子形成層４１を塗布し、回折格子形成層４１に凹凸レリーフ構造の回折格子原版をエンボスしてその凹凸レリーフ構造の回折格子を複製し、その複製されたレリーフ回折格子面上に反射層４２を蒸着することにより反射型の回折格子４３を形成し、その回折格子４３の反射層４２側にヒートシール層４６を塗布して、図２６のような層構成の転写箔３１を完成する。
【０１４３】
ここで、基材４４を構成する樹脂フィルムとしては、ポリプロピレン樹脂フィルム、ポリカーボネート樹脂フィルム、若しくは、ポリエチレンテレフタレート樹脂フィルム等が好ましく、中でも、これらに加え、機械的強度の優れた２軸延伸ポリエチレンテレフタレート樹脂フィルムが適している。
【０１４４】
また、剥離層４５を構成する樹脂は、基材４４の素材や、剥離層４５と接着する回折格子形成層４１の材質にもよるが、ポリエステル樹脂、アクリル骨格樹脂、塩化ビニル−酢酸ビニル共重合樹脂、酢酸セルロースと熱硬化型アクリル樹脂との２成分のブレンド樹脂、メラミン樹脂、若しくは、ニトロセルロース樹脂を使用することができる。例えば、基材４４がポリエチレンテレフタレート樹脂（ＰＥＴ）フィルムであるときは、剥離層４５と基材４４との密着力の点で、ポリエステル樹脂が好ましい。これらの樹脂には、さらにポリエチレンワックス等のワックス、若しくは、シリコーン樹脂を添加して剥離性を向上させてもよい。剥離層４５は、上記の樹脂を適宜な溶剤若しくは分散剤を用いて溶解若しくは分散させて、塗布若しくは印刷に適した組成物を調製したものを、公知の塗布方法若しくは印刷方法により、基材４４に積層形成することができる。
【０１４５】
また、回折格子形成層４１を構成する合成樹脂としては、ポリ塩化ビニル、アクリル樹脂（例、ＰＭＭＡ）、ポリスチレン、ポリカーボネート等の熱可塑性樹脂、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレート等の熱硬化性樹脂をそれぞれ単独、あるいは、上記熱可塑性樹脂と熱硬化性樹脂とを混合して使用することができ、さらには、ラジカル重合性不飽和基を有する熱成形性物質、あるいは、これらにラジカル重合性不飽和単量体を加え電離放射線硬化性としたもの等を使用することができる。この他、銀塩、重クロム酸ゼラチン、サーモプラスチック、ジアゾ系感光材料、フォトレジスト、強誘電体、フォトクロミックス材料、サーモクロミックス材料、カルコゲンガラスなどの感光材料なども使用できる。
【０１４６】
上記の合成樹脂からなる層への凹凸レリーフ構造の回折格子の形成は、上記の材料を用いて、従来既知の方法によって形成することができる。例えば、回折格子が凹凸の形で記録された原版をプレス型として用い、上記樹脂層上にその原版を重ねて加熱ロール等の適宜手段により、両者を加熱圧着することにより、原版の凹凸模様を複製することができる。あるいは、紫外線硬化性とした樹脂層上にその原版を重ねて、紫外線を照射してその樹脂層を硬化させて原版の凹凸模様を複製することができる。
【０１４７】
反射層４２を構成する材質としては、Ｍｇ、Ａｌ、Ｔｉ、Ｃｒ、Ｃｕ、Ｚｎ、Ｇａ、Ｇｅ、Ｓｅ、Ｒｂ、Ｐｄ、Ａｇ、Ｃｄ、Ｉｎ、Ｓｎ、Ｓｂ、Ｔｅ、Ａｕ、Ｐｂ、若しくは、Ｂｉ等の金属、又は、それらの酸化物、若しくは、それらの窒化物を単独で、若しくは、組み合わせ、薄膜として形成する。金属薄膜層を反射層４２として用いるときには、これらの中でも、Ａｌ、Ｃｒ、Ｎｉ、Ａｇ、若しくは、Ａｕ等が特に好ましい。
【０１４８】
反射層４２を形成するには、真空蒸着法、スパッタリング法、若しくは、イオンプレーティング法等の公知の薄膜形成法によって行う。
【０１４９】
ヒートシール層４６を構成する材質としては、例えば、エチレン−酢酸ビニル共重合体樹脂、ポリアミド樹脂、ポリエステル樹脂、ポリエチレン樹脂、エチレン−イソブチルアクリレート共重合体樹脂、ブチラール樹脂、ポリ酢酸ビニル及びその共重合体樹脂、セルロース誘導体、ポリメチルメタクリレート樹脂、ポリビニルエーテル樹脂、ポリウレタン樹脂、ポリカーボネート樹脂、ポリプロピレン樹脂、エポキシ樹脂、又は、フェノール樹脂が使用できる。あるいは、ＳＢＳ（スチレン−ブタジエン−スチレンブロックコポリマー）、ＳＩＳ（スチレン−イソプレン−スチレンブロックコポリマー）、ＳＥＢＳ（スチレン−エチレン−ブチレン−スチレンブロックコポリマー）等の熱可塑性エラストマー、又は、反応ホットメルト性樹脂等を使用してもよい。
【０１５０】
図２７は、本発明の光回折構造による隠しパターンを内包する表示体をラベル３２として構成する場合の層構成を示す断面図であり、その作製方法に従ってその構成を説明すると、ＰＥＴ等の透明樹脂フィルムからなる基材４４上に回折格子形成層４１を塗布し、回折格子形成層４１に凹凸レリーフ構造の回折格子原版をエンボスしてその凹凸レリーフ構造の回折格子を複製し、その複製されたレリーフ回折格子面上に反射層４２を蒸着することにより反射型の回折格子４３を形成し、その回折格子４３の反射層４２側に粘着層４７を塗布し、その粘着層４７上にその保護用としてセパレータ（剥離紙）４８をラミネートして、図２７のような層構成のラベル３２を完成する。
【０１５１】
ここで、基材４４、回折格子形成層４１、反射層４２を構成する材質としては、図２５の場合と同様である。
【０１５２】
粘着層４７を構成する接着剤としては、ポリ酢酸ビニル樹脂、ポリビニルアルコール、ポリビニルアセタール（ポリビニルホルマール、ポリビニルブチラール等）、シアノアクリレート、ポリビニルアルキルエーテル、ポリ塩化ビニル、ポリアミド、ポリメタクリル酸メチル、ニトロセルロース、酢酸セルロース、熱可塑性エポキシ、ポリスチレン、エチレン−酢酸ビニルコポリマー、エチレン−アクリル酸エチルコポリマー等、ユリア樹脂、メラミン樹脂、フェノール樹脂、レゾルシノール樹脂、フラン樹脂、エポキシ樹脂、不飽和ポリエステル樹脂、ポリウレタン樹脂、ポリイミド、ポリアミドイミド、ポリベンツイミダゾール、ポリベンゾチアゾール等、あるいは、ゴム系の天然ゴム、再生ゴム、スチレン−ブタジエンゴム、アクリロニトリル−ブタジエンゴム、クロロプレンゴム、ブチルゴム、ポリスルフィドゴム、シリコーンゴム、ポリウレタンゴム、ステレオゴム（合成天然ゴム）、エチレンプロピレンゴム、ブロックコポリマーゴム（ＳＢＳ，ＳＩＳ，ＳＥＢＳ等）が使用できる。
【０１５３】
また、セパレータ（剥離紙）４８としては、従来公知の紙やフィルム基材に剥離処理を施したものが使用できる。
【０１５４】
図２８は、本発明の光回折構造による隠しパターンを内包する表示体を脆質ラベル３３として構成する場合の層構成を示す断面図であり、その作製方法に従ってその構成を説明すると、ＰＥＴ等の透明樹脂フィルムからなる基材４４上に脆質層４９を塗布し、その脆質層４９上に回折格子形成層４１を塗布し、回折格子形成層４１に凹凸レリーフ構造の回折格子原版をエンボスしてその凹凸レリーフ構造の回折格子を複製し、その複製されたレリーフ回折格子面上に反射層４２を蒸着することにより反射型の回折格子４３を形成し、その回折格子４３の反射層４２側に粘着層４７を塗布し、その粘着層４７上にセパレータ（剥離紙）４８をラミネートして、図２８のような層構成の脆質ラベル３３を完成する。
【０１５５】
ここで、基材４４、回折格子形成層４１、反射層４２、粘着層４７、セパレータ（剥離紙）４８を構成する材質としては、図２７の場合と同様である。
【０１５６】
脆質層４９を構成する材料としては、図２６の場合の剥離層４５を構成する樹脂と同じ系列のものが用いられる。
【０１５７】
図２９は、本実施形態の光回折構造による隠しパターンを内包する表示体をフィルム３４として構成する場合の層構成を示す断面図であり、その作製方法に従ってその構成を説明すると、ＰＥＴ等の透明樹脂フィルムからなる基材４４上に回折格子形成層４１を塗布し、回折格子形成層４１に凹凸レリーフ構造の回折格子原版をエンボスしてその凹凸レリーフ構造の回折格子を複製し、その複製されたレリーフ回折格子面上に反射層４２を蒸着することにより反射型の回折格子４３を形成して、図２９のような層構成のフィルム３４が完成する。
【０１５８】
ここで、基材４４、回折格子形成層４１、反射層４２を構成する材質としては、図２６〜図２８の場合と同様である。
【０１５９】
ここで、図２６〜図２９において、回折格子形成層４１に凹凸レリーフ構造の回折格子をエンボスするための回折格子原版の作製方法の例を簡単に説明しておく。そのためには、Ｃｒメッキされたガラス板を用意し、その上に電子線レジストを塗布し、電子線描画により、回折格子パターンを描画し、その後に電子線レジストを現像することにより、断面矩形波状の凹凸レリーフ構造が得られる。
【０１６０】
そのような電子線レジストの凹凸レリーフ構造の回折格子パターン上に紫外線硬化性樹脂あるいは熱硬化性樹脂を塗布して紫外線照射あるいは加熱により、その凹凸レリーフ構造を紫外線硬化性樹脂あるいは熱硬化性樹脂に複製することにより、電子線描画の回折格子パターンのネガ版が得られる。そのネガ版から同様に複製してポジ版を得るか、あるいは、このような複製を偶数回繰り返すことにより得られたポジ版を、上記の回折格子形成層４１に凹凸レリーフ構造の回折格子をエンボスするための回折格子原版として用いることができる。
【０１６１】
以上、本発明の光回折構造による隠しパターンを内包する表示体及びそのための判別具をいくつかの実施例に基づいて説明してきたが、本発明はこれら実施例に限定されず種々の変形が可能である。
【符号の説明】
【０１６２】
１…隠しパターンを内包する表示体
２…隠しパターンを含む部分表示面
３…その他の部分表示面
４…印刷物
５…表示単位領域
６…縞対
６1…第１波線縞
６2…第２波線縞
６’1…第１直線回折格子
６’2…第２直線回折格子
１１…非隠しパターン領域
１１ａ…第１非隠しパターン領域
１１ｂ…第２非隠しパターン領域
１１1、１１ａ1、１１ｂ1…縞対
１１1a、１１ａ1a、１１ｂ1a…第１波線縞
１１1b、１１ａ1b、１１ｂ1b…第２波線縞
１１’1a、１１’ａ1a、１１’ｂ1a…第１直線回折格子
１１’1b、１１’ａ1b、１１’ｂ1b…第２直線回折格子
１２…隠しパターン領域
１２ａ…第１隠しパターン領域
１２ｂ…第２隠しパターン領域
１２1、１２ａ1、１２ｂ1…縞対
１２1a、１２ａ1a、１２ｂ1a…第１波線縞
１２1b、１２ａ1b、１２ｂ1b…第２波線縞
１２’1a、１２’ａ1a、１２’ｂ1a…第１直線回折格子
１２’1b、１２’ａ1b、１２’ｂ1b…第２直線回折格子
２０，２０’，２１，２２…判別具
２０ａ，２０’ａ，２１ａ，２２ａ…直線透明部
２０ｂ，２０’ｂ，２１ｂ，２２ｂ…直線不透明部
３１…転写箔
３２…ラベル
３３…脆質ラベル
３４…フィルム
４１…回折格子形成層
４２…反射層
４３…反射型の回折格子
４４…基材
４５…剥離層
４６…ヒートシール層
４７…粘着層
４８…セパレータ（剥離紙）
４９…脆質層
Ｓ…基準線
Ｐ…パターン
Ｐ'…縁取り
【図１】
0005754585.tif 000002
【図２】
0005754585.tif 000003
【図３】
0005754585.tif 000004
【図４】
0005754585.tif 000005
【図５】
0005754585.tif 000006
【図６】
0005754585.tif 000007
【図７】
0005754585.tif 000008
【図８】
0005754585.tif 000009
【図９】
0005754585.tif 000010
【図１０】
0005754585.tif 000011
【図１１】
0005754585.tif 000012
【図１２】
0005754585.tif 000013
【図１３】
0005754585.tif 000014
【図１４】
0005754585.tif 000015
【図１５】
0005754585.tif 000016
【図１６】
0005754585.tif 000017
【図１７】
0005754585.tif 000018
【図１８】
0005754585.tif 000019
【図１９】
0005754585.tif 000020
【図２０】
0005754585.tif 000021
【図２１】
0005754585.tif 000022
【図２２】
0005754585.tif 000023
【図２３】
0005754585.tif 000024
【図２４】
0005754585.tif 000025
【図２５】
0005754585.tif 000026
【図２６】
0005754585.tif 000027
【図２７】
0005754585.tif 000028
【図２８】
0005754585.tif 000029
【図２９】
0005754585.tif 000030